(57)【特許請求の範囲】
【請求項１】
コンベヤ上の板材接近の検知情報に基づき、前記板材表面に所定の制御指令に従って連続的または間欠的に作動するようにしたスプレー塗装装置のノズル洗浄方法であって、
一の洗浄工程として、前記板材の検知情報に基づいて作動するスプレーガンが塗装をしていない時間帯に、塗料供給圧力を上昇させ、スプレーガンの開閉ニードルを短い周期で複数回開放運動させ、その状態でスプレーガンの霧化用エアー供給口から空気を供給し続けることによってスプレーガンのノズルに滞留する塗料滴を除去し、
二の洗浄工程として、スプレー塗装装置による塗装工程が一定時間経過すれば、コンベヤを停止しスプレーガンの空気経路に塗料が再溶解可能な液体を供給し、その噴射を行うと共にこれらの残留滴を吹き飛ばす空気噴射を行い、
その後ブラシによる掻き落とし清掃を行い、ブラシが外周をノズル先端に接触させて回転駆動される回転ブラシとされ、かつ、この回転ブラシの回転軸が前記ノズルに対する移動方向に対して偏角を有していることを特徴とするスプレー塗装装置のノズル洗浄方法。
【請求項２】
コンベヤ上の板材接近の検知情報に基づき、前記板材表面に所定の制御指令に従って連続的または間欠的に作動するようにしたスプレー塗装装置のノズル洗浄方法であって、
一の洗浄工程として、前記板材の検知情報に基づいて作動するスプレーガンが塗装をしていない時間帯に、塗料供給圧力を上昇させ、スプレーガンの開閉ニードルを短い周期で複数回開放運動させ、その状態でスプレーガンの霧化用エアー供給口から空気を供給し続けることによってスプレーガンのノズルに滞留する塗料滴を除去し、
二の洗浄工程として、スプレー塗装装置による一回の塗装工程毎に、コンベヤを停止し、スプレーガンの空気経路に塗料が再溶解可能な液体を供給し、その噴射を行うと共にこれらの残留滴を吹き飛ばす空気噴射を行い、
その後ブラシによる掻き落とし清掃を行い、ブラシが外周をノズル先端に接触させて回転駆動される回転ブラシとされ、かつ、この回転ブラシの回転軸が前記ノズルに対する移動方向に対して偏角を有していることを特徴とするスプレー塗装装置のノズル洗浄方法。
【請求項３】
スプレーガンによる塗装をしていない時間帯が、コンベヤ上の板材接近の検知情報を得た後、前記板材表面に所定の制御指令に従って連続的または間欠的に作動を開始するまでの間とされていることを特徴とする請求項１または２に記載のスプレー塗装装置のノズル洗浄方法。
【発明の詳細な説明】
【０００１】
【発明の属する技術分野】
この発明はスプレー塗装装置のノズル洗浄方法に関する。
【０００２】
【従来の技術】
繊維補強セメント製外壁材の塗装装置としてスプレーガンを用いた塗装方式が広く知られている。
【０００３】
ところで、この塗装方式において、多数のスプレーガンを外壁材の移送方向に対して直交する方向に配列し、板材の移送と共に適宜スプレーノズルから制御信号に基づき間欠的ないしは連続的に塗料を噴射して外壁材表面に着色塗装することが行われる場合がある。
【０００４】
上記のスプレー塗装装置は、多数のスプレーガンの内、スプレーノズルのいずれか一つでも詰まりを起こすと目的の塗装が行われなくなるので、洗浄には十分な注意が必要となる。
【０００５】
そのためのノズル洗浄手段として従来では、ブラシに塗料を再溶解させる液体を含ませ、人為的または機械的にノズル先端をこすって附着した塗料を落すことや、ノズル先端の空気ノズルから空気に換えて前記液体を噴射し塗料を溶解洗浄するといったことが行われていた。
【０００６】
【発明が解決しようとする課題】
しかし、前者の洗浄手段は、ラインを止める必要があるので、あまり頻繁に行うと塗装工程の時間延長にもなるので適当でない。
【０００７】
後者の洗浄手段は、空気経路に塗料を再溶解させる液体が残留していると、塗装再開時に前記液体が飛び出し、塗装不良となる問題があった。
特に、スプレーパターンを任意の位置や濃度で吹付けて塗布し、模様を付加する態様で塗装する場合、多数のノズルの中には使用頻度が低かったり、逆に高いノズルが混在するので、すべてのノズルが常に万全な状態にしておくには、洗浄を完全にする必要がある。
【０００８】
そこで、この発明は、使用頻度に差のある場合であっても多数並列するスプレーガンの洗浄が常に均一に洗浄され万全な状態とすることを課題としてなされたものである。
【０００９】
【課題を解決するための手段】
即ち、請求項１のスプレー塗装装置のノズル洗浄方法は、コンベヤ上の板材接近の検知情報に基づき、前記板材表面に所定の制御指令に従って連続的または間欠的に作動するようにしたスプレー塗装装置のノズル洗浄方法であって、一の洗浄工程として、前記板材の検知情報に基づいて作動するスプレーガンが塗装をしていない時間帯に、塗料供給圧力を上昇させ、スプレーガンの開閉ニードルを短い周期で複数回開放運動させ、その状態でスプレーガンの霧化用エアー供給口から空気を供給し続けることによってスプレーガンのノズルに滞留する塗料滴を除去し、二の洗浄工程として、スプレー塗装装置による塗装工程が一定時間経過すれば、コンベヤを停止しスプレーガンの空気経路に塗料が再溶解可能な液体を供給し、その噴射を行うと共にこれらの残留滴を吹き飛ばす空気噴射を行い、その後ブラシによる掻き落とし清掃を行い、ブラシが外周をノズル先端に接触させて回転駆動される回転ブラシとされ、かつ、この回転ブラシの回転軸が前記ノズルに対する移動方向に対して偏角を有しているものである。
請求項２のスプレー塗装装置のノズル洗浄方法は、コンベヤ上の板材接近の検知情報に基づき、前記板材表面に所定の制御指令に従って連続的または間欠的に作動するようにしたスプレー塗装装置のノズル洗浄方法であって、一の洗浄工程として、前記板材の検知情報に基づいて作動するスプレーガンが塗装をしていない時間帯に、塗料供給圧力を上昇させ、スプレーガンの開閉ニードルを短い周期で複数回開放運動させ、その状態でスプレーガンの霧化用エアー供給口から空気を供給し続けることによってスプレーガンのノズルに滞留する塗料滴を除去し、二の洗浄工程として、スプレー塗装装置による一回の塗装工程毎に、コンベヤを停止し、スプレーガンの空気経路に塗料が再溶解可能な液体を供給し、その噴射を行うと共にこれらの残留滴を吹き飛ばす空気噴射を行い、その後ブラシによる掻き落とし清掃を行い、ブラシが外周をノズル先端に接触させて回転駆動される回転ブラシとされ、かつ、この回転ブラシの回転軸が前記ノズルに対する移動方向に対して偏角を有しているものである。
請求項３のスプレー塗装装置のノズル洗浄方法は、スプレーガンによる塗装をしていない時間帯が、コンベヤ上の板材接近の検知情報を得た後、前記板材表面に所定の制御指令に従って連続的または間欠的に作動を開始するまでの間とされているものである。
【００１８】
【発明の実施の形態】
次に、この発明の実施の形態を説明する。
図１は、実施の形態である外壁材の塗装装置の平面図、図２は実施の形態である外壁材の塗装装置の正面図、図３はスプレーガンの断面図、図４は図１、図２に示した塗装装置の洗浄スケジュールの一例を示したグラフである。
【００１９】
図１において、１…１は多数配列されたスプレーガンを示し、外壁材１０が移送されるコンベヤ１１上に、その移送方向に直交する方向に基枠２によって支持されている。
【００２０】
そして、塗装は各スプレーガン１…１の連続的または間欠的な噴射によって行われるが、スプレーパターンを円形〜楕円形として模様を表現する場合は、一回の噴射で円形または楕円形のスプレーパターンを描けるよう短い噴射時間とされる。
【００２１】
図３は、上記スプレーガン１の構造を示す断面図である。
この塗装装置におけるスプレーガン１は、ベース体１ｃと、塗料を噴霧状に噴出するノズル１ａを有したカバー板１ｂとを備えてなり、ベース体１ｃには、霧化用エアー通路２と塗料通路３とが同心状に形成され、かつ、それぞれの通路２、３に連通する霧化用エアー供給口４および塗料供給口５が設けられている。
【００２２】
そして、ベース体１ｃの霧化用エアー通路２と塗料通路３の開口部にカバー板１ｂのノズル１ａを同心状に位置させて固定され、開閉ニードル６が、塗料通路３に対して同心状に配置されている。
【００２３】
図３において、１０はソレノイド７用のブラケットを示し、スプレーガン１のベース体１ｃに固定した支持部材１１に調節ねじ１２を介して取付けられている。
【００２４】
このようなスプレーガン１が図１、図２に示すように配列され、それらが一定の指令に従って個々に噴射される。
このような噴射条件において、どのスプレーガンがいつ塗料を噴射し、あるいは休止するかは図外の制御装置から指令され、外壁材１０の移送速度に合わせて噴射される。
【００２５】
この場合、休止中のスプレーガンのノズル１ａ先端には図５に示すように塗料３ａが滴３ｐとなって滞留する可能性がある。
そこで、どのスプレーガン１に塗料滴が発生しても良いように、図４に示すタイムテーブルに従って洗浄を行う。
【００２６】
図４のグラフにおいて、黒く塗りつぶした部分が、装置の作動ないし実動中を示す。
外壁材１０は、コンベヤ１１上をスプレーガン１…１の配列位置まで移送されてくるが、一定の距離Ｌの手前において、検知装置１４により検知される（図４のＴ１）。
【００２７】
この検知信号に基づいて外壁材１０がスプレーガン１…１に近づくまでのタイムラグ（図４のＴ１〜Ｔ３）を利用して、全スプレーガン１…１に対し、洗浄指令が出される（図４のＴ１〜Ｔ２）。
【００２８】
この洗浄指令に基づき、塗料供給口５からの供給圧力が通常の供給圧力に対して１．２〜２．０倍程度高められ、同時に開閉ニードル６を短い周期で複数回開放運動をさせる。
【００２９】
このとき、霧化用エアー供給口４からは、空気が供給され続け、この空気の吹き出しに伴って塗料は、スプレーガン１の先端から勢い良く噴出し、溜まっていた塗料滴等はこの時に吹き飛ばされてしまう。
【００３０】
次いで、外壁材１０がスプレーガン１の直下に近づけば、洗浄指令が終了し、塗装指令が出される（図４のＴ３）。
そして、この塗装指令に基づき、外壁材１０表面に所定の濃度、色彩に塗料が塗布されていく。
【００３１】
このとき、洗浄は全スプレーについて一斉に行われた後なので、塗装工程に入ったとき、すべてのスプレーガン１のノズル１ａは塗料滴のない良好な状態となっている。
【００３２】
従って、均一な塗装が可能となる。
なお、塗装工程が終了し（図４のＴ４）、外壁材１０がスプレーガン１の直下を通過し終われば再び上記と同じスプレーガン１の洗浄を実施しても良い（図４のＴ５〜Ｔ６）。
【００３３】
上記の方法において、塗料の高圧噴出と圧縮空気による、いわゆる吐き捨て洗浄だけでは、長期間の内にノズル１ａ周辺に塗料が滞留する可能性がある。
そこで、ブラシによる洗浄を行う。
【００３４】
この洗浄は、スプレーガン１の延べ使用時間を基準として行う。
図１、図２において、符号１３は洗浄用の回転ブラシを示し、外周１３ａがスプレーガン１の噴出口１ａに接触して回転するように軸支され、モータ１３ｂにより回転駆動される。また、この回転ブラシ１３は、モータ１３ｂと共に移動架台１３ｃに支持され、多数配列されたスプレーガン１…１の配列方向に沿って平行移動可能にされている。
【００３５】
なお、上記回転ブラシ１３の回転軸１３ｄはスプレーガン１…１の配列方向に対して偏角θを有した状態で支持されており、回転ブラシ１３の回転外周面に対し噴出口１ａが全面に均一に接触するようにされている。
【００３６】
次に、上記装置による洗浄方法を説明する。
図６は、上記洗浄方法の洗浄スケジュールの一例を示したグラフである。
塗装工程において、スプレーガン１…１の延べ噴射時間を、制御回路（図外）における噴射指令の積算、ないしはスプレーガン１の実際の噴射時間をソレノイド４の作動時間の積算などから得、これが一定時間となれば、洗浄指令が出される（図６のＴ１０）。
【００３７】
この指令に基づいて、洗浄工程を管理するためのタイマーが始動され（図６のＴ１０）このタイマー始動により外壁材１０の検知が行われる（図６の、〜Ｔ１２）。
【００３８】
外壁材１０が通過し終われば（図６のＴ１２）、コンベヤ１１が停止され（図６のＴ１３〜Ｔ１７）、洗浄が開始される（図６のＴ１３）。
なお、この時、外壁材１０が塗装装置のスプレーガン１直下に位置しないように停止制御されていることは言うまでもない。
【００３９】
まず、スプレーガン１の空気吐出口から、塗料を再溶解させる液体、例えば水系塗料であれば水、樹脂系塗料であればシンナーなどの溶剤を噴出させ（図６のＴ１３〜Ｔ１４）ノズル１ａ周辺に堆積した塗料滴３ｐを溶解する。次いで空気を噴出させて、塗料を再溶解させる液体で溶解されスプレーガン１の先端に附着した塗料滴３ｐを吹き飛ばす（図６のＴ１４〜Ｔ１５）。
【００４０】
次いで、回転ブラシ１３を回転させながら、ノズル１ａの配列方向へ走行させて、附着塗料を掻き落とす（図６のＴ１５〜Ｔ１６）。
この回転ブラシ１３は、回転軸１３ｄが偏角θを有しているので、回転させた状態で平行移動させると、両者の相対移動により回転ブラシ外面に噴出口１ｄが螺旋状に接触するので回転ブラシの一部だけが損耗してしまうことがなく、ブラシ１３ａを長寿命にできる。
【００４１】
そして、回転ブラシ１３ａによる往復洗浄を、適宜回数繰り返した後（図６では２回）、塗料供給口５から塗料を加圧供給して短時間に噴出するいわゆる吐き捨てを行い、空気経路に残留する塗料を再溶解させる液体を完全に除去する。
【００４２】
その後、塗装工程を再開するのである。
従って、この洗浄工程を所定時間ごとに行えば、スプレーガンの噴出口１ａ周辺は常に清潔に保たれ、塗料の滞留による弊害は防止される。
【００４３】
なお、上記説明において、洗浄の開始をスプレーガンの噴射積算時間を基準にした場合をあげたが、タイマーによる定期的洗浄によっても良い。
さらに、先の洗浄で述べた一回の塗装工程毎の洗浄とを組み合せてもよく、この場合、洗浄の間隔を積算やタイマーの他、毎回洗浄の回数を計数し、その回数ごとに実施しても良い。
【００４４】
【発明の効果】
この発明は、以上のように構成されているので、請求項１の発明によれば、外壁材表面をスプレーガンで自動的に塗装する場合、外壁材の塗装ごとノズルの噴射による洗浄が行われるので、塗装が常に均一な条件で実施でき、制御通りの美しい塗装面が得られる。請求項２の発明によれば一回の検出で洗浄と塗装が行え、検出処理がそれだけ簡単に済む。
【００４５】
請求項３の発明によれば一定の塗装工程の経過ごとにスプレーによる洗浄と、ブラシによる洗浄が定期的に実施されるので、スプレーガンの噴出口に塗料の滞留が確実に防げ、長期にわたって安定した塗装を続けることができる。
【００４６】
請求項４の発明によれば、塗装一回毎の洗浄と一定期間毎の洗浄とが組み合わせて行われるので、よりスプレーガンの噴出口の状態が良好に保たれる。
そして、請求項５の発明によれば、噴出口に対する回転ブラシの当接面が全面的に均一になるので、ブラシ外面の片減りが防止され、回転ブラシの寿命を長くすることができる。
【図面の簡単な説明】
【図１】外壁材の塗装装置の要部平面図である。
【図２】外壁材の塗装装置の要部正面図である。
【図３】外壁材の塗装装置の一つのスプレーガンの説明断面図である。
【図４】洗浄時期を示すタイムテーブルである。
【図５】ノズル洗浄の状態を示す説明図である。
【図６】洗浄方法を示すタイムテーブルである。
【符号の説明】
１   スプレーガン
１ａ  噴出口
２   基枠
１０   外壁材
１１   コンベヤ
１３   回転ブラシ
【図１】
0004020584.tif 000002
【図２】
0004020584.tif 000003
【図３】
0004020584.tif 000004
【図４】
0004020584.tif 000005
【図５】
0004020584.tif 000006
【図６】
0004020584.tif 000007